(57)【要約】【課題】底樋などの樋管の周囲における有害な水みちの発生を防止できるようにする。【解決手段】樋管１２の外周につば状の止水板１３を取り付ける。樋管１２における止水板１３を取り付けた部分を、粘性土２２で形成した止水壁２３の内部に埋設する。【選択図】図１
2007231530.tif 000002
【特許請求の範囲】
【請求項１】
樋管の外周につば状の止水板を取り付け、樋管における前記止水板を取り付けた部分を、粘性土で形成した止水壁の内部に埋設したことを特徴とする樋管の止水壁構造。
【発明の詳細な説明】
【技術分野】
【０００１】
本発明は、樋管の止水壁構造に関する。
【背景技術】
【０００２】
樋管として、ため池からの取水を目的として、このため池の堤体を水平方向に貫通して設置される管路構造物が知られている。この管路構造物は、底樋と呼ばれている。また、樋管として、河川からの取水を目的として、堤防を貫通した状態で敷設されるものもある。このような樋管として、たとえば特許文献１に記載されたものがある。
【０００３】
ため池からの取水用の底樋として、コンクリート構造物にて構成されたものが知られている。このような底樋の例を、図４および図５を参照して説明する。
図４において、５１はため池を示し、５２はその堤体、５３は、ためられている水である。５４は底樋で、堤体５２の底部を水平方向に貫通した状態で敷設されている。５５は、底樋５４への通水を制御するためのゲートである。堤体５２には、底樋５４に連通する斜樋５６が設置されている。底樋５４は、上記のようにコンクリート構造物にて構成されている。５７は、そのコンクリート継ぎ目である。
【０００４】
底樋５４と、堤体５２においてこの底樋５４を埋設している土砂との間に隙間が生じると、この隙間は、水みちとなって、ため池５１の内部の水５３が堤体の外部へ漏れ出すことになる。このような漏れ出しを防止するために、堤体５２の内部における底樋５４の長さ方向に沿った適当位置には、コンクリート製の止水壁５８が、底樋５４の外面に密着した状態で設けられている。
【０００５】
図５は、底樋５４および止水壁５８の詳細構造を示す。底樋５４は、管本体を構成するヒューム管５９をコンクリートブロック６０の内部に埋設したもので、コンクリートブロック６０には、底樋５４の長さ方向の鉄筋６１が配されている。継ぎ目５７の部分においては、底樋５４の長さ方向に隣り合うコンクリートブロック６０、６０どうしの隙間に目地材６２が充填されている。そして、一方のコンクリートブロック６０から目地材６２を貫通して底樋５４の長さ方向に伸びるダウエルバー６３が設けられている。このダウエルバー６３の先端部は、他方のコンクリートブロック６０に形成された凹部６４の中に入り込んでいる。６５は止水板である。止水壁５８は、底樋５４のコンクリートブロック６０の外面に密着している。
【特許文献１】特開平７−３３１６３１号公報
【発明の開示】
【発明が解決しようとする課題】
【０００６】
底樋５４が敷設されている部分の地盤が軟弱な場合には、底樋５４を敷設した後に堤体を構築するための盛土を施すと、それに伴って沈下が生じる。このとき、図４に示すように堤体５２は一般に底樋５４の軸心方向に台形状の断面をなし、よって底樋５４への上乗せ荷重が不均一であるため、底樋５４の沈下量も不均一すなわち不同沈下となる。特に、腹付け盛土や嵩上げ盛土などを行う場合には、新たに上載荷重が作用するため、非常に大きな局部沈下を生じる場合がある。
【０００７】
ところが、図５に示すように、コンクリートブロック６０、６０どうしの継ぎ目５７では、ダウエルバー６３がせん断抵抗力を受けながら、ダウエルバー６３と凹部６４との口径差によって段差や隙間を生じるだけの構造であるため、大きな変位には対応できない。すなわち、底樋５４は、全体として剛な構造体であり、不同沈下に十分に対応できない。これにより、沈下した周囲の地盤と底樋５４との間に隙間が生じて、水漏れの原因となる水みちを形成するおそれがある。また、不同沈下に十分に対応できないと、地盤における亀裂発生の起点になるとともに、地盤内に亀裂が進展して水みちの形成を助長するおそれがある。
【０００８】
これに対処するために、沈下が予測される場合には地盤改良を行って地盤変位を拘束することが一般に行われているが、十分ではない。また止水壁５８もコンクリート製であるため、周辺地盤との重量差や剛性差があり、これによって地盤への追従性が損なわれるおそれがある。
【０００９】
そこで本発明は、底樋などの樋管の周囲における有害な水みちの発生を防止できるようにすることを目的とする。
【課題を解決するための手段】
【００１０】
この目的を達成するため本発明は、樋管の外周につば状の止水板を取り付け、樋管における前記止水板を取り付けた部分を、粘性土で形成した止水壁の内部に埋設したものである。
【発明の効果】
【００１１】
本発明によれば、粘性土は、樋管の外周および止水板に密着するとともに、それ自体が水を通しにくいため、良好な止水壁を形成することができる。また、樋管の外周面と粘性土で形成した止水壁の内周面との間にわずかな隙間が生じても、つば状の止水板の張り出し面が止水壁の粘性土内に密着状態で嵌入しているため、連続した水みちの形成を阻止して、確実な止水効果を達成することができる。
【発明を実施するための最良の形態】
【００１２】
図１において、１１はため池を構築するための堤体で、この堤体１１の底部において、この堤体１１を貫通して、樋管としての水平方向の底樋１２が敷設されている。底樋１２としては、鋳鉄管や樹脂管などが用いられる。その敷設に際しては、たとえば図示のように堤体１１を開削したうえで、底樋１２を設置し、その後に土砂の埋め戻しを行う。底樋１２の長さ方向に沿った複数位置の外周には、つば状の止水板１３が取り付けられている。
【００１３】
図２および図３は、止水板１３の詳細構造を示す。図示のように、止水板１３は周方向に沿って複数に分割された構成であり、その分割部１４がボルト・ナットなどの締結手段１５によって締結されることで、敷設現場において環状に形成して底樋１２に取り付け可能である。止水板１３は、金属材料などによって形成されており、底樋１２の外周に沿って配置される筒状部１６と、筒状部１６から径方向の外向きに配置されるつば状部１７とが一体化された構成である。筒状部１６は、底樋１２の外面との間に板状のエラスティックフィラー１８を挟み込んだ状態で、底樋１２の外周に固定されている。エラスティックフィラー１８としては、ゴム板などを用いることができる。
【００１４】
図１に示すように、底樋１２を敷設するための堤体１１の開削部２０は、上向きに広がる逆台形状の断面形状を有するように形成されている。この開削部２０において、底樋１２における止水板１３の取り付け部に対応した部分には、底樋１２の周囲に、他の部分よりも断面積の大きな、すなわち他の部分よりも横向きに広くかつ下向きに深く形成された、拡大部２１が、底樋１２の長さ方向に沿った一定範囲に形成されている。そして、この拡大部２１に粘性土２２が充填されることで、底樋１２の周囲に止水壁２３が構築されている。この止水壁２３は、粘性土２２が、止水板１３を内部に埋め込むとともに止水板１３の筒状部１６とつば状部１７との表面に密着し、かつ止水板１３以外の部分では底樋１２の外周面に密着している。
【００１５】
粘性土２２は、水を通しにくく、しかも止水板１３との密着性が良好なものを用いることが必要であるとともに、堤体１１の一部を構築するものであるために、締まりの良いものすなわち軟弱でないものであることが必要である。この条件を満たせば、適宜のものを利用できる。底樋１２を設置して止水壁２３を構築した後に、開削部２０には土砂２４が埋め戻される。
【００１６】
このような構成であると、従来のようなコンクリート製のブロックを用いるものではなく、底樋１２を構成する管体の外周に止水板１３を取り付けただけであるので、底樋１２を柔構造とすることができる。このため、地盤への追従性を高めることができて、それにもとづく水みち形成防止効果を得ることができる。また、止水壁２３は粘性土によって形成されており、底樋１２を構成する管体との密着性が良好であるとともに土粒子の移動を抑制する効果があるため、その管体の外周面に沿った水みちの形成を良好に防止することができる。粘性土自体の水を通しにくい性質によって、止水壁２３自体による止水効果を得ることができる。止水板１３を設けたことによる水みち形成防止効果も得ることができる。しかも、底樋１２の管体の周囲と止水壁２３の粘性土との間にわずかな隙間が生じても、止水板１３のつば状部１７が密着状態で止水壁２３の粘性土の中に入り込んでいるため、連続した水みちの形成を阻止することができる。
【００１７】
また、従来のコンクリート構造物に比べて大幅に施工性を向上させることができるとともに、軟弱地盤上のため池の改修や耐震性の向上に適用することができる。
止水板１３は、エラスティックフィラー１８を介して底樋１２に取り付けられているため、底樋１２を構成する管体に対し隙間なく密着することができるうえに、周辺地盤への底樋１２の追従性を妨げないようにすることができる。
【図面の簡単な説明】
【００１８】
【図１】本発明の実施の形態の樋管の止水壁構造を示す図である。
【図２】図１における止水板の構成を示す図である。
【図３】図２の止水板の断面構造を示す図である。
【図４】従来の底樋が敷設された堤体の断面構造を示す図である。
【図５】図４における底樋の構成を示す図である。
【符号の説明】
【００１９】
１１    堤体
１２    底樋
１３    止水板
２２    粘性土
２３    止水壁
【図１】
2007231530.tif 000003
【図２】
2007231530.tif 000004
【図３】
2007231530.tif 000005
【図４】
2007231530.tif 000006
【図５】
2007231530.tif 000007